【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】データ送信システム、データ送信方法、プログラムおよび記憶媒体
【手続補正２】
【補正対象書類名】明細書
【補正対象項目名】特許請求の範囲
【補正方法】変更
【補正の内容】
【特許請求の範囲】
【請求項１】  入力された画像データをファイルとして指定された宛先に送信するためのデータ送信システムにおいて、
入力された複数ページの画像データを特定のファイルフォーマットのファイルとして送信する際の送信形態として、第１送信形態および第２送信形態のいずれかを指定する送信形態指定手段と、
前記指定された送信形態に応じて前記入力された複数ページの画像データの送信を行う送信手段とを備え、
前記送信手段は、前記第１送信形態が指定された場合、前記入力された複数ページの画像データを、前記特定のファイルフォーマットで規定される１つのファイルとして送信し、前記第２送信形態が指定された場合、前記入力された複数ページの画像データを所定単位で複数の画像データ群に分割し、分割された各画像データ群をそれぞれ前記特定のファイルフォーマットで規定される個別のファイルとして送信することを特徴とするデータ送信システム。
【請求項２】  前記入力された複数ページの画像データを分割する所定単位は、１ページ単位であることを特徴とする請求項１記載のデータ送信システム。
【請求項３】  前記入力された複数ページの画像データを分割する所定単位は、任意のページ数単位であることを特徴とする請求項１記載のデータ送信システム。
【請求項４】  前記特定のファイルフォーマットは、１ファイルに複数ページを持つことが可能なフォーマットであることを特徴とする請求項１ないし３のいずれか１つに記載のデータ送信システム。
【請求項５】  入力された画像データをファイルとして指定された宛先に送信するためのデータ送信方法において、
入力された複数ページの画像データを特定のファイルフォーマットのファイルとして送信する際の送信形態として、第１送信形態および第２送信形態のいずれかを指定する送信形態指定工程と、
前記指定された送信形態に応じて前記入力された複数ページの画像データの送信を行う送信工程とを備え、
前記送信工程では、前記第１送信形態が指定された場合、前記入力された複数ページの画像データを、前記特定のファイルフォーマットで規定される１つのファイルとして送信し、前記第２送信形態が指定された場合、前記入力された複数ページの画像データを所定単位で複数の画像データ群に分割し、分割された各画像データ群をそれぞれ前記特定のファイルフォーマットで規定される個別のファイルとして送信することを特徴とするデータ送信方法。
【請求項６】  前記入力された複数ページの画像データを分割する所定単位は、１ページ単位であることを特徴とする請求項５記載のデータ送信方法。
【請求項７】  前記入力された複数ページの画像データを分割する所定単位は、任意のページ数単位であることを特徴とする請求項５記載のデータ送信方法。
【請求項８】  前記特定のファイルフォーマットは、１ファイルに複数ページを持つことが可能なフォーマットであることを特徴とする請求項５ないし７のいずれか１つに記載のデータ送信方法。
【請求項９】  入力された画像データをファイルとして指定された宛先に送信するためのデータ送信システムにおいて、
入力された複数ページの画像データの分割位置を任意に指定する分割位置指定手段と、
前記指定された分割位置に応じて前記入力された複数ページの画像データから複数のファイルを作成するファイル作成手段と、
前記ファイル作成手段で作成された複数のファイルの送信を行う送信手段と
を備えることを特徴とするデータ送信システム。
【請求項１０】  前記分割位置指定手段は分割単位となるページ数を指定し、前記ファイル作成手段は前記入力された複数ページの画像データを前記指定されたページ数毎にファイルを作成することを特徴とする請求項９に記載のデータ送信システム。
【請求項１１】  入力された画像データをファイルとして指定された宛先に送信するためのデータ送信方法において、
入力された複数ページの画像データの分割位置を任意に指定する分割位置指定工程と、
前記指定された分割位置に応じて前記入力された複数ページの画像データから複数のファイルを作成するファイル作成工程と、
前記ファイル作成工程で作成された複数のファイルの送信を行う送信工程と
を備えることを特徴とするデータ送信方法。
【請求項１２】  前記分割位置指定工程では、分割単位となるページ数を指定し、前記ファイル作成工程は前記入力された複数ページの画像データを前記指定されたページ数毎にファイルを作成することを特徴とする請求項１１に記載のデータ送信方法。
【請求項１３】  請求項５ないし８または１０および１１のいずれかに記載のデータ送信方法の各工程をコンピュータに実行させるためのプログラム。
【請求項１４】  請求項１３記載のプログラムをコンピュータ読み取り可能に格納したことを特徴とする記憶媒体。
【手続補正３】
【補正対象書類名】明細書
【補正対象項目名】０００１
【補正方法】変更
【補正の内容】
【０００１】
【発明の属する技術分野】
本発明は、入力された画像データをファイルとして指定された宛先に送信するためのデータ送信システム、データ送信方法、プログラムおよび記憶媒体に関する。
【手続補正４】
【補正対象書類名】明細書
【補正対象項目名】０００５
【補正方法】変更
【補正の内容】
【０００５】
本発明の目的は、ユーザの意図に応じて複数ページの画像データの送信を行うことができるとともに、複数ページの画像データをそれぞれ同じ宛先に対して個別のファイルとして送信する場合の操作を簡素化することができるデータ送信システム、データ送信方法、プログラムおよび記憶媒体を提供することにある。
【手続補正５】
【補正対象書類名】明細書
【補正対象項目名】０００６
【補正方法】変更
【補正の内容】
【０００６】
【課題を解決するための手段】
本発明は、上記目的を達成するため、入力された画像データをファイルとして指定された宛先に送信するためのデータ送信システムにおいて、入力された複数ページの画像データを特定のファイルフォーマットのファイルとして送信する際の送信形態として、第１送信形態および第２送信形態のいずれかを指定する送信形態指定手段と、前記指定された送信形態に応じて前記入力された複数ページの画像データの送信を行う送信手段とを備え、前記送信手段は、前記第１送信形態が指定された場合、前記入力された複数ページの画像データを、前記特定のファイルフォーマットで規定される１つのファイルとして送信し、前記第２送信形態が指定された場合、前記入力された複数ページの画像データを所定単位で複数の画像データ群に分割し、分割された各画像データ群をそれぞれ前記特定のファイルフォーマットで規定される個別のファイルとして送信することを特徴とする。
本発明は、上記目的を達成するため、入力された画像データをファイルとして指定された宛先に送信するためのデータ送信方法において、入力された複数ページの画像データを特定のファイルフォーマットのファイルとして送信する際の送信形態として、第１送信形態および第２送信形態のいずれかを指定する送信形態指定工程と、前記指定された送信形態に応じて前記入力された複数ページの画像データの送信を行う送信工程とを備え、前記送信工程では、前記第１送信形態が指定された場合、前記入力された複数ページの画像データを、前記特定のファイルフォーマットで規定される１つのファイルとして送信し、前記第２送信形態が指定された場合、前記入力された複数ページの画像データを所定単位で複数の画像データ群に分割し、分割された各画像データ群をそれぞれ前記特定のファイルフォーマットで規定される個別のファイルとして送信することを特徴とする。
本発明は、上記目的を達成するため、入力された画像データをファイルとして指定された宛先に送信するためのデータ送信システムにおいて、入力された複数ページの画像データの分割位置を任意に指定する分割位置指定手段と、前記指定された分割位置に応じて前記入力された複数ページの画像データから複数のファイルを作成するファイル作成手段と、前記ファイル作成手段で作成された複数のファイルの送信を行う送信手段とを備えることを特徴とする。
本発明は、上記目的を達成するため、入力された画像データをファイルとして指定された宛先に送信するためのデータ送信方法において、入力された複数ページの画像データの分割位置を任意に指定する分割位置指定工程と、前記指定された分割位置に応じて前記入力された複数ページの画像データから複数のファイルを作成するファイル作成工程と、前記ファイル作成工程で作成された複数のファイルの送信を行う送信工程とを備えることを特徴とする。
また、本発明は、上記目的を達成するため、上記データ送信方法の各工程をコンピュータに実行させるためのプログラムを提供する。
また、本発明は、上記目的を達成するため、上記プログラムをコンピュータ読み取り可能に格納したことを特徴とする記憶媒体を提供する。
【手続補正６】
【補正対象書類名】明細書
【補正対象項目名】００４２
【補正方法】削除
【補正の内容】
【手続補正７】
【補正対象書類名】明細書
【補正対象項目名】００４３
【補正方法】削除
【補正の内容】
【手続補正８】
【補正対象書類名】明細書
【補正対象項目名】００４４
【補正方法】削除
【補正の内容】
【手続補正９】
【補正対象書類名】明細書
【補正対象項目名】００４５
【補正方法】削除
【補正の内容】
【手続補正１０】
【補正対象書類名】明細書
【補正対象項目名】００４６
【補正方法】削除
【補正の内容】
【手続補正１１】
【補正対象書類名】明細書
【補正対象項目名】００４７
【補正方法】削除
【補正の内容】
【手続補正１２】
【補正対象書類名】明細書
【補正対象項目名】００４８
【補正方法】削除
【補正の内容】
【手続補正１３】
【補正対象書類名】明細書
【補正対象項目名】００４９
【補正方法】削除
【補正の内容】
【手続補正１４】
【補正対象書類名】明細書
【補正対象項目名】００５０
【補正方法】削除
【補正の内容】
【手続補正１５】
【補正対象書類名】明細書
【補正対象項目名】００５１
【補正方法】削除
【補正の内容】
【手続補正１６】
【補正対象書類名】明細書
【補正対象項目名】００５２
【補正方法】削除
【補正の内容】
【手続補正１７】
【補正対象書類名】明細書
【補正対象項目名】００５３
【補正方法】削除
【補正の内容】
【手続補正１８】
【補正対象書類名】明細書
【補正対象項目名】００５４
【補正方法】削除
【補正の内容】
【手続補正１９】
【補正対象書類名】明細書
【補正対象項目名】００５５
【補正方法】変更
【補正の内容】
【００５５】
【発明の効果】
以上説明したように、本発明によれば、ユーザの意図に応じて複数ページの画像データの送信を行うことができるとともに、複数ページの画像データをそれぞれ同じ宛先に対して個別のファイルとして送信する場合の操作を簡素化することができる。
また、任意に指定された分割位置に応じて複数のファイルを作成し、作成された各ファイルを送信することが可能になる。